(57)【要約】【課題】画像データと、出力された画像データに追加された情報とを、より容易に管理できる画像処理システム、サーバ装置、画像処理方法及びプログラムを提供する。【解決手段】本発明の画像処理システムは、画像データを記憶する記憶部と、画像データを出力する出力部と、画像データと、出力された画像データに書き込まれた書込みデータと、を合成した画像合成データを生成する合成部と、画像データと画像合成データとを記憶する記憶部の記憶場所を特定する情報を含む特定情報を参照して、画像合成データを記憶部の記憶場所に記憶する記憶制御部と、を備える。【選択図】図１
2014199432.tif 000002
【特許請求の範囲】
【請求項１】
画像データを記憶する記憶部と、
前記画像データを出力する出力部と、
前記画像データと、出力された前記画像データに書き込まれた書込みデータと、を合成した画像合成データを生成する合成部と、
前記画像データと前記画像合成データとを記憶する前記記憶部の記憶場所を特定する情報を含む特定情報を参照して、前記画像合成データを前記記憶部の記憶場所に記憶する記憶制御部と、
を備える画像処理システム。
【請求項２】
前記出力部は、
前記画像データとして投影画像データを投影面に投影し、
前記投影画像データと、前記特定情報とを取得する取得部と、
前記投影面に追加された情報を読み取り、前記書込みデータとして読取り画像データを生成する読取り部と、
前記特定情報から前記記憶部を特定して、前記特定情報と前記読取り画像データとを前記記憶部に送信する画像送信部と、を更に備え、
前記合成部は、
前記特定情報により特定される前記記憶場所から前記投影画像データを読み出し、読み出した前記投影画像データと前記読取り画像データとを合成した画像合成データを生成する
請求項１に記載の画像処理システム。
【請求項３】
前記特定情報と、読取りの開始を示す情報とを含む読取り要求を前記読取り部に送信する読取り要求部を更に備え、
前記読取り部は、
前記読取り要求に応じて前記投影面に追加された情報を読み取って読取画像データを生成し、前記読取画像データと前記特定情報とを前記画像送信部に送信する
請求項２に記載の画像処理システム。
【請求項４】
前記読取り部を識別する識別情報を含むコードを表示するコード表示部と、
前記コードを読み取るコード読取り部とを更に備え、
前記読取り要求部は、
前記コード読取り部により読み取られたコードにより識別される前記読取り部に前記読取り要求を送信する
請求項３に記載の画像処理システム。
【請求項５】
前記読取画像データが生成されたか否かを監視し、前記読取り画像データが生成された場合に、前記読取り画像データを前記画像送信部に送信する読取り実行監視部を更に備える
請求項２に記載の画像処理システム。
【請求項６】
前記出力部は、
前記画像データとして表示画像データを表示し、
前記特定情報を含むコードを表示するコード表示部と、
前記コードを読み取り、前記特定情報を取得するコード読取部と、を更に備え、
前記記憶制御部は、
前記特定情報を参照して、前記表示画像データを前記記憶部の記憶場所から取得し、前記特定情報を参照して、前記画像合成データを前記記憶部の記憶場所に記憶する
請求項１に記載の画像処理システム。
【請求項７】
画像データの記憶場所を特定する情報を含む特定情報と、出力された前記画像データに書き込まれた書込みデータとを受信するサーバ装置であって、
前記画像データを記憶する記憶部と、
前記特定情報により特定される前記記憶場所から前記画像データを読み出し、読み出した前記画像データと前記書込みデータとを合成した画像合成データを生成する合成部と、
前記画像合成データを前記特定情報で特定される前記記憶部の記憶場所に記憶する記憶制御部と
を備えるサーバ装置。
【請求項８】
画像データを記憶する記憶部を備える画像処理システムの画像処理方法であって、
出力部が、前記画像データを出力するステップと、
合成部が、前記画像データと、出力された前記画像データに書き込まれた書込みデータと、を合成した画像合成データを生成するステップと、
記憶制御部が、前記画像データと前記画像合成データとを記憶する前記記憶部の記憶場所を特定する情報を含む特定情報を参照して、前記画像合成データを前記記憶部の記憶場所に記憶するステップと、
を含む画像処理方法。
【請求項９】
画像データを記憶する記憶部を備えるサーバ装置の画像処理方法であって、
サーバ装置が、前記画像データが記憶されている前記記憶部の記憶場所を特定する情報を含む特定情報と、出力された前記画像データに書き込まれた書込みデータとを受信するステップと、
サーバ装置が、前記特定情報により特定される前記記憶場所から前記画像データを読み出すステップと、
サーバ装置が、読み出した前記画像データと前記書込みデータとを合成した画像合成データを生成するステップと、
記憶制御部が、前記画像合成データを前記特定情報で特定される前記記憶部の記憶場所に記憶するステップと
を含む画像処理方法。
【請求項１０】
画像データを記憶する記憶部を備え、前記画像データが記憶されている前記記憶部の記憶場所を特定する情報を含む特定情報と、出力された前記画像データに書き込まれた書込みデータとを受信するコンピュータを、
前記特定情報により特定される前記記憶場所から前記画像データを読み出し、読み出した前記画像データと前記書込みデータとを合成した画像合成データを生成する合成部と、
前記画像合成データを前記特定情報で特定される前記記憶部の記憶場所に記憶する記憶制御部
として機能させるためのプログラム。
【発明の詳細な説明】
【技術分野】
【０００１】
本発明は、画像処理システム、サーバ装置、画像処理方法及びプログラムに関する。
【背景技術】
【０００２】
プロジェクタを使用した会議などでは、ホワイトボードをスクリーンとして使用して、ホワイトボードに直接、文字や図形などを書き込むことにより、投影画像を補足することが行われている。また、補足のために追記した情報を記録するために、投影画像ごとホワイトボードをカメラで撮影することが行われている。
【０００３】
本発明に関連する文献公知発明としては、特許文献１がある。特許文献１には、共通の電子文書の同一画面を２つのスクリーンに表示させ、２つのスクリーンで同時に編集可能な投影型表示装置の発明が開示されている。特許文献１の投影型表示装置は、表示画像に書かれた書き込み画像を撮影してデータ化し、更に当該データを表示画像に貼り付けたデータを、ネットワークを介して共有している。
【発明の概要】
【発明が解決しようとする課題】
【０００４】
しかしながら、ホワイトボードをカメラで撮影すると、投影画像を撮影するため、光の加減によっては、撮影画像をきれいに撮れない場合があった。また、撮影画像には、投影画像と、追記された文字や図形などが一緒に含まれるため、追加された文字や図形のみを分離することが難しかった。また、撮影画像と投影画像との関連付けは、別途行わなければならなかった。
【０００５】
本発明は、上記に鑑みてなされたものであって、画像データと、出力された画像データに追加された情報とを、より容易に管理できる画像処理システム、サーバ装置、画像処理方法及びプログラムを提供することを目的とする。
【課題を解決するための手段】
【０００６】
上述した課題を解決し、目的を達成するために、本発明の画像処理システムは、画像データを記憶する記憶部と、前記画像データを出力する出力部と、前記画像データと、出力された前記画像データに書き込まれた書込みデータと、を合成した画像合成データを生成する合成部と、前記画像データと前記画像合成データとを記憶する前記記憶部の記憶場所を特定する情報を含む特定情報を参照して、前記画像合成データを前記記憶部の記憶場所に記憶する記憶制御部と、を備える。
【発明の効果】
【０００７】
本発明によれば、画像データと、出力された画像データに追加された情報とを、より容易に管理できるという効果を奏する。
【図面の簡単な説明】
【０００８】
【図１】図１は、第１の実施の形態の画像処理システムの機能ブロックの一例を示す図である。
【図２】図２は、第１の実施の形態の画像処理システムのハードウェアの接続関係の一例を示す図である。
【図３】図３は、第１の実施の形態の画像処理方法の一例を説明するためのフローチャートである。
【図４】図４は、第２の実施の形態の画像処理システムの機能ブロックの一例を示す図である。
【図５】図５は、第２の実施の形態の画像処理システムのハードウェアの接続関係の一例を示す図である。
【図６】図６は、第２の実施の形態の画像処理方法の一例を説明するためのフローチャートである。
【図７】図７は、第３の実施の形態の画像処理システムの機能ブロックの一例を示す図である。
【図８】図８は、第３の実施の形態の画像処理システムのハードウェアの接続関係の一例を示す図である。
【図９】図９は、第３の実施の形態の画像処理方法の一例を説明するためのフローチャートである。
【図１０】図１０は、第３の実施の形態の変形例の画像処理システムの機能ブロックの一例を示す図である。
【図１１】図１１は、第１〜３の実施の形態のサーバ装置のハードウェア構成の一例を示す図である。
【発明を実施するための形態】
【０００９】
以下に添付図面を参照して、画像処理システム、サーバ装置、画像処理方法及びプログラムの実施の形態を詳細に説明する。
【００１０】
（第１の実施の形態）
図１は、第１の実施の形態の画像処理システム１００の機能ブロックの一例を示す図である。本実施の形態の画像処理システム１００は、クライアント装置１０、サーバ装置２０、スキャナ３０及びプロジェクタ５０（出力部の一例）を備える。ホワイトボード４０は、プロジェクタ５０が投影画像を投影する投影面である。クライアント装置１０は、例えば、スマートフォンなどの携帯端末である。
【００１１】
図２は、第１の実施の形態の画像処理システム１００のハードウェアの接続関係の一例を示す図である。クライアント装置１０、サーバ装置２０、スキャナ３０及びプロジェクタ５０は、ネットワーク６０を介して互いに接続されている。なお、ネットワーク６０の通信方式は、有線であっても無線であってもよい。また、ネットワーク６０の通信方式は、有線及び無線を組み合わせて実現されていてもよい。
【００１２】
図１に戻り、クライアント装置１０は、コード読取り部１１、読取り要求部１２及び投影制御部１３を備える。投影制御部１３は、取得部１４及び投影要求部１５を備える。サーバ装置２０は、記憶制御部２１、記憶部２２及び合成部２３を備える。スキャナ３０は、コード表示部３１、読取り部３２及び画像送信部３３を備える。
【００１３】
投影制御部１３は、クライアント装置１０のユーザーの操作に応じて、投影の開始を表す投影要求を受信する。取得部１４は、投影画像データを識別する情報を含むデータ取得要求を記憶制御部２１に送信する。記憶制御部２１は、投影画像データを記憶部２２から取得する。取得部１４は、投影画像データと、投影画像データが記憶されている記憶部２２の記憶場所を特定する情報を含む特定情報とを取得する。当該特定情報は、例えば、投影画像データの記憶場所を示すファイルパスである。なお、特定情報には、サーバ装置２０の外部の装置から記憶部２２にアクセスできるようにするために、サーバ装置２０のＩＰアドレスなどの情報を含めてもよい。投影要求部１５は、投影画像データを含む投影要求をプロジェクタ５０（投影部）に送信する。プロジェクタ５０は、ホワイトボード４０（投影面）に投影画像データを投影する。
【００１４】
コード表示部３１は、読取り部３２（スキャナ３０）を識別する識別情報を含むコードを表示する。当該コードは、例えば、ＱＲコード（登録商標）である。また、当該識別情報は、例えば、スキャナ３０のＩＰアドレスである。なお、コード表示部３１は、スキャナの筐体に表示されていてもよい。また、コード表示部３１は、スキャナ３０に液晶ディスプレイなどの表示部がある場合は、当該表示部でもよい。コード読取り部１１は、クライアント装置１０のユーザーの操作に応じて、コードの読み取りの開始を表すコード読み取り要求を受信する。コード読取り部１１は、コード表示部３１のコードを読み取り、読取り部３２の識別情報を取得する。コード読取り部１１は、例えば、カメラである。読取り要求部１２は、特定情報と、読取りの開始を示す情報とを含む読取り要求を、コード読取り部１１により識別された読取り部３２に送信する。なお、クライアント装置１０にスキャナ３０の識別情報が記憶されているなどの理由により、クライアント装置１０が読取り部３２を予め識別できている場合は、コード読取り部１１により読取り部３２を識別しなくてもよい。読取り部３２は、ホワイトボード４０（投影面）に追加された情報（書込みデータ）を読み取って読取り画像データを生成する。画像送信部３３は、特定情報から記憶部２２を特定して、特定情報と読取り画像データとを（記憶制御部２１を介して）記憶部２２に送信する。これにより、読取り画像データは、投影されていた投影画像データと同じ記憶場所に記憶される。合成部２３は、（記憶制御部２１を介して）特定情報により特定される記憶場所から投影画像データを読み出す。そして、合成部２３は、読み出した投影画像データと読取り画像データとを合成した画像合成データを生成する。記憶制御部２１は、画像合成データを特定情報で特定される記憶部２２の記憶場所に記憶する。
【００１５】
図３は、第１の実施の形態の画像処理方法の一例を説明するためのフローチャートである。取得部１４は、投影画像データの取得要求をサーバ装置２０にする（ステップＳ１）。記憶制御部２１は、記憶部２２から投影画像データを取得する（ステップＳ２）。記憶制御部２１は、投影画像データと特定情報とを取得部１４に送信する（ステップＳ３）。投影要求部１５は、投影画像データを含む投影要求をプロジェクタ５０に送信する（ステップＳ４）。
【００１６】
コード読取り部１１は、スキャナ３０（コード表示部３１）のコードを読み取る（ステップＳ５）。読取り要求部１２は、コードから読み取った識別情報によりスキャナ３０（読取り部３２）を識別する（ステップＳ６）。読取り要求部１２は、特定情報と、読取りの開始を示す情報とを含む読取り要求を、読取り部３２に送信する（ステップＳ７）。なお、図３の例では、特定情報は、投影画像データが格納されたサーバ装置のＩＰアドレスと、投影画像データのファイルパスである。読取り部３２は、ホワイトボード４０を読み取る（ステップＳ８）。画像送信部３３は、読取り画像データをサーバ装置２０に送信し、投影画像データの記憶場所を表すファイルパスと同じファイルパスに、読取り画像データをアップロードする（ステップＳ９）。記憶制御部２１は、アップロードされた読取り画像データを記憶部２２に保存する（ステップＳ１０）。合成部２３は、アップロードされた読取り画像データと、アップロードされたファイルパスに保存されていた投影画像データを合成し、画像合成データを生成する（ステップＳ１１）。記憶制御部２１は、画像合成データを記憶部２２に保存する（ステップＳ１２）。
【００１７】
以上をまとめると、本実施の形態の画像処理システム１００は、取得部１４が、投影画像データ及び記憶部２２の記憶場所を特定する特定情報を取得する。コード読取り部１１が読取り部３２を識別する。読取り要求部１２は、特定情報を含む読取り要求を読取り部３２に送信する。画像送信部３３が、読取り画像データ及び特定情報を、記憶部２２に送信する。合成部２３は、投影用画像データと読取り画像データとを合成する。記憶制御部２１は、特定情報で特定される記憶部２２の記憶場所に画像合成データを記憶する。これにより、本実施の形態の画像処理システム１００によれば、投影画像データと、投影面に追加された情報とを、より容易に管理することができる。
【００１８】
（第２の実施の形態）
図４は、第２の実施の形態の画像処理システム１００の機能ブロックの一例を示す図である。本実施の形態の画像処理システム１００は、クライアント装置１０、サーバ装置２０、スキャナ３０及びプロジェクタ５０を備える。ホワイトボード４０は、プロジェクタ５０が投影画像を投影する投影面である。クライアント装置１０は、例えば、パーソナルコンピュータである。
【００１９】
図５は、第２の実施の形態の画像処理システム１００のハードウェアの接続関係の一例を示す図である。クライアント装置１０、サーバ装置２０及びプロジェクタ５０は、ネットワーク６０を介して互いに接続されている。なお、ネットワーク６０の通信方式は、有線であっても無線であってもよい。また、ネットワーク６０の通信方式は、有線及び無線を組み合わせて実現されていてもよい。スキャナ３０は、ＵＳＢケーブル７０によりクライアント装置１０と接続されている。なお、接続に使用するケーブルはＵＳＢケーブル７０に限られず、他の規格のケーブルであってもよい。
【００２０】
図４に戻り、クライアント装置１０は、投影制御部１３、画像送信部１６及び読取り実行監視部１７を備える。投影制御部１３は、取得部１４及び投影要求部１５を備える。サーバ装置２０は、記憶制御部２１、記憶部２２及び合成部２３を備える。スキャナ３０は、読取り制御部３４及び記憶部３６を備える。読取り制御部３４は、読取り要求部３５及び読取り部３２を備える。
【００２１】
投影制御部１３は、クライアント装置１０のユーザーの操作に応じて、投影の開始を表す投影要求を受信する。取得部１４は、投影画像データを識別する情報を含むデータ取得要求を記憶制御部２１に送信する。記憶制御部２１は、投影画像データを記憶部２２から取得する。取得部１４は、投影画像データと、投影画像データが記憶されている記憶部２２の記憶場所を特定する情報を含む特定情報とを取得する。当該特定情報は、例えば、投影画像データの記憶場所を示すファイルパスである。なお、特定情報には、サーバ装置２０の外部の装置から記憶部２２にアクセスできるようにするために、サーバ装置２０のＩＰアドレスなどの情報を含めてもよい。投影要求部１５は、投影画像データを含む投影要求をプロジェクタ５０（投影部）に送信する。プロジェクタ５０は、ホワイトボード４０（投影面）に投影画像データを投影する。
【００２２】
読取り制御部３４は、スキャナ３０のユーザーの操作に応じて、読み取りの開始を表す読取り要求を受信する。読取り部３２は、ホワイトボード４０（投影面）に追加された情報を読み取って読取り画像データを生成する。読取り部３２は、読取り画像データを記憶部３６に記憶する。読取り実行監視部１７は、読取り画像データが生成されたか否かを監視し、読取り画像データが生成された場合に、読取り画像データを画像送信部１６に送信する。なお、本実施の形態の画像処理システム１００の読取り実行監視部１７は、クライアント装置１０とスキャナ３０とがＵＳＢケーブル７０により接続されていることを利用して、読取り画像データが生成されたか否かを監視する。すなわち、読取り実行監視部１７は、スキャナ３０をＵＳＢストレージとして認識することにより、読取り画像データが生成されたか否かを監視する。画像送信部１６は、取得部１４に特定情報のデータ取得要求を送信する。取得部１４は、特定情報を画像送信部１６に送信する。画像送信部１６は、特定情報と読取り画像データとを（記憶制御部２１を介して）記憶部２２に送信する。これにより、読取り画像データは、投影されていた投影画像データと同じ記憶場所に記憶される。合成部２３は、（記憶制御部２１を介して）特定情報により特定される記憶場所から投影画像データを読み出す。そして、合成部２３は、読み出した投影画像データと読取り画像データとを合成した画像合成データを生成する。記憶制御部２１は、画像合成データを特定情報で特定される記憶部２２の記憶場所に記憶する。
【００２３】
図６は、第２の実施の形態の画像処理方法の一例を説明するためのフローチャートである。ステップＳ２１〜ステップＳ２４は、図３のステップＳ１〜ステップＳ４と同じであるため説明を省略する。
【００２４】
読取り部３２は、ホワイトボード４０を読み取る（ステップＳ２５）。読取り部３２は、読取り画像データを記憶部３６に保存する（ステップＳ２６）。読取り実行監視部１７は、読取り画像データが記憶部３６に保存されたことを検知し、読取り画像データを取得する（ステップＳ２７）。画像送信部１６は、ステップＳ２３でクライアント装置１０に送信された特定情報を利用して、読取り画像データをサーバ装置２０に送信し、投影画像データの記憶場所を表すファイルパスと同じファイルパスに、読取り画像データをアップロードする（ステップＳ２８）。
【００２５】
ステップＳ２９〜ステップＳ３１は、図３のステップＳ１０〜ステップＳ１２と同じであるため説明を省略する。
【００２６】
以上をまとめると、本実施の形態の画像処理システム１００は、取得部１４が、投影画像データ及び記憶部２２の記憶場所を特定する特定情報を取得する。読取り実行監視部１７は、読取り画像データが生成されたか否かを監視し、読取り画像データが生成された場合に、読取り画像データを画像送信部１６に送信する。画像送信部１６が、読取り画像データ及び特定情報を、記憶部２２に送信する。合成部２３は、投影用画像データと読取り画像データとを合成する。記憶制御部２１は、特定情報で特定される記憶部２２の記憶場所に画像合成データを記憶する。これにより、本実施の形態の画像処理システム１００によれば、投影画像データと、投影面に追加された情報とを、より容易に管理することができる。
【００２７】
（第３の実施の形態）
図７は、第３の実施の形態の画像処理システム１００の機能ブロックの一例を示す図である。本実施の形態の画像処理システム１００は、クライアント装置１０、サーバ装置２０、及びインタラクティブホワイトボード（ＩＷＢ：Ｉｎｔｅｒａｃｔｉｖｅ  Ｗｈｉｔｅｂｏａｒｄ）９０を備える。インタラクティブホワイトボード（ＩＷＢ：Ｉｎｔｅｒａｃｔｉｖｅ  Ｗｈｉｔｅｂｏａｒｄ）９０（出力部の一例）は、液晶パネルなどのディスプレイを利用した電子ホワイトボードである。ＩＷＢ９０は、ディスプレイに表示された画像データ（以下、「表示画像データ」という。）に電子ペンを用いて書き込まれた書込みデータを電子化し、当該ディスプレイに反映する。
【００２８】
本実施の形態の説明では、第１特定情報は、表示画像データが記憶されている記憶部２２の記憶場所を特定する情報を含む。第２特定情報は、画像合成データを記憶する記憶部２２の記憶場所を特定する情報を含む。
【００２９】
図８は、第３の実施の形態の画像処理システム１００のハードウェアの接続関係の一例を示す図である。クライアント装置１０、サーバ装置２０及びＩＷＢ９０は、ネットワーク６０を介して互いに接続されている。なお、ネットワーク６０の通信方式は、有線であっても無線であってもよい。また、ネットワーク６０の通信方式は、有線及び無線を組み合わせて実現されていてもよい。
【００３０】
図７に戻り、クライアント装置１０は、コード読取り部１１、表示要求部１８及び記憶要求部１９を備える。サーバ装置２０は、記憶制御部２１及び記憶部２２を備える。ＩＷＢ９０は、コード表示部９１、画像表示部９２、受付部９３及び合成部９４を備える。
【００３１】
まず、クライアント装置１０について説明する。コード読取り部１１は、クライアント装置１０のユーザーの操作に応じて、コードの読み取りの開始を表すコード読み取り要求を受信する。コード読取り部１１は、ＩＷＢ９０（画像表示部９２）に画像データを表示するときに、コード表示部９１のコードを読み取り、第１特定情報を取得する。コード読取り部１１は、第１特定情報を表示要求部１８に送信する。表示要求部１８は、第１特定情報を含む表示要求をサーバ装置２０（記憶制御部２１）に送信する。
【００３２】
またコード読取り部１１は、ＩＷＢ９０（画像表示部９２）の画像合成データを記憶するときに、コード表示部９１のコードを読み取り、第２特定情報を取得する。画像合成データは、書込みデータと表示画像データとを合成したデータである。コード読取り部１１は、第２特定情報を記憶要求部１９に送信する。記憶要求部１９は、第２特定情報を含む記憶要求をサーバ装置２０（記憶制御部２１）に送信する。
【００３３】
なお第１特定情報（第２特定情報）は、例えば、表示画像データ（画像合成データ）の記憶場所を示すファイルパスである。なお、第１特定情報（第２特定情報）には、サーバ装置２０の外部の装置から記憶部２２にアクセスできるようにするために、サーバ装置２０のＩＰアドレスなどの情報を含めてもよい。また第１特定情報及び第２特定情報は同じでもよい。これにより第１特定情報（第２特定情報）が、例えばフォルダ等を示す場合、同一フォルダに表示画像データと画像合成データとを記憶することができるので、データ管理に関するユーザーの手間を低減することができる。
【００３４】
次に、サーバ装置２０について説明する。記憶制御部２１は、第１特定情報を含む表示要求をクライアント装置１０（表示要求部１８）から受信する。記憶制御部２１は、第１特定情報を参照して表示画像データの記憶場所を特定し、当該表示画像データを記憶部２２から取得する。記憶制御部２１は、取得した表示画像データをＩＷＢ９０（画像表示部９２）に送信する。
【００３５】
また記憶制御部２１は、第２特定情報を含む記憶要求をクライアント装置１０（記憶要求部１９）から受信すると、ＩＷＢ９０（合成部９４）に画像送信要求を送信し、画像合成データの送信を要求する。記憶制御部２１は、画像合成データをＩＷＢ９０（合成部９４）から受信する。記憶制御部２１は、第２特定情報を参照して画像合成データの記憶場所を特定し、当該画像合成データを記憶部２２に記憶する。
【００３６】
次に、ＩＷＢ９０について説明する。コード表示部９１は、第１特定情報又は第２特定情報を含むコードを表示する。画像表示部９２は、表示画像データをサーバ装置２０（記憶制御部２１）から受信し、当該表示画像データを表示する。受付部９３は、表示画像データ上に書き込まれる書込みデータを受け付ける。画像表示部９２は、ＩＷＢ９０のユーザーの画像合成を示す操作に応じて、表示画像データと書込みデータとを合成部９４に送信する。合成部９４は、表示画像データと書込みデータとを画像表示部９２から受信すると、当該表示画像データと当該書込みデータとを合成して画像合成データを生成する。合成部９４は、画像送信要求をサーバ装置２０（記憶制御部２１）から受信すると、当該画像合成データをサーバ装置２０（記憶制御部２１）に送信する。
【００３７】
図９は、第３の実施の形態の画像処理方法の一例を説明するためのフローチャートである。コード表示部９１は、第１特定情報を含むコードを表示する（ステップＳ４１）。次に、コード読取部１１は、コード表示部９１のコードを読み取り第１特定情報を取得する（ステップＳ４２）。次に、表示要求部１８は、第１特定情報を含む表示要求をサーバ装置２０（記憶制御部２１）に送信する（ステップＳ４３）。
【００３８】
次に、記憶制御部２１は、第１特定情報を参照して表示画像データの記憶場所を特定し、当該表示画像データを記憶部２２から取得する（ステップＳ４４）。次に、記憶制御部２１は、取得した表示画像データをＩＷＢ９０（画像表示部９２）に送信する（ステップＳ４５）。
【００３９】
次に、画像表示部９２は、表示画像データをサーバ装置２０（記憶制御部２１）から受信し、当該表示画像データを表示する（ステップＳ４６）。次に、受付部９３は、表示画像データ上に書き込まれる書込みデータを受け付ける（ステップＳ４７）。次に、合成部９４は表示画像データと書込みデータとを画像表示部９２から受信すると、当該表示画像データと当該書込みデータとを合成して画像合成データを生成する（ステップＳ４８）。次に、コード表示部９１は、第２特定情報を含むコードを表示する（ステップＳ４９）。
【００４０】
次に、コード読取部１１は、コード表示部９１のコードを読み取り第２特定情報を取得する（ステップＳ５０）。次に、記憶要求部１９は、第２特定情報を含む記憶要求をサーバ装置２０（記憶制御部２１）に送信する（ステップＳ５１）。
【００４１】
次に、記憶制御部２１は、第２特定情報を含む記憶要求をクライアント装置１０（記憶要求部１９）から受信すると、ＩＷＢ９０（合成部９４）に画像送信要求を送信し、画像合成データの送信を要求する（ステップＳ５２）。
【００４２】
次に、合成部９４は、画像送信要求をサーバ装置２０（記憶制御部２１）から受信すると、当該画像合成データをサーバ装置２０（記憶制御部２１）に送信する（ステップＳ５３）。次に、記憶制御部２１は、画像合成データをＩＷＢ９０（合成部９４）から受信すると、第２特定情報を参照して画像合成データの記憶場所を特定し、当該画像合成データを記憶部２２に記憶する（ステップＳ５４）。
【００４３】
以上をまとめると、本実施の形態の画像処理システム１００は、コード表示部９１が第１特定情報又は第２特定情報を含むコードを表示する。コード読取り部１１が、当該コードを読み取り、第１特定情報又は第２特定情報を取得する。合成部９４が、表示画像データと、書込みデータと、を合成して画像合成データを生成する。記憶制御部２１は、第１特定情報により表示画像データの記憶場所を特定し、当該表示画像データを記憶部２２に記憶する。また、記憶制御部２１は、第２特定情報により画像合成データの記憶場所を特定し、当該画像合成データを記憶部２２に記憶する。これにより、本実施の形態の画像処理システム１００によれば、表示画像データと、ＩＷＢ９０に表示された表示画像データに追加された情報（書込みデータ）とを、より容易に管理することができる。
【００４４】
（第３の実施の形態の変形例）
図１０は、第３の実施の形態の変形例の画像処理システム１００の機能ブロックの一例を示す図である。本変形例では、第３の実施の形態の合成部９４を、サーバ装置２０が合成部２３として備えている点が第３の実施の形態と異なる。本変形例の説明では、第３の実施の形態の説明と異なる箇所について説明する。
【００４５】
画像表示部９２は、ＩＷＢ９０のユーザーの画像合成を示す操作に応じて、書込みデータをサーバ装置２０（記憶制御部２１）に送信する。記憶制御部２１は、書込みデータをＩＷＢ９０（画像表示部９２）から受信すると、第１特定情報により表示画像データの記憶場所を特定し、当該表示画像データを記憶部２２から取得する。記憶制御部２１は、当該書込みデータと、当該表示画像データと、を合成部２３に送信する。合成部２３は、当該書込みデータと、当該表示画像データと、を記憶制御部２１から受信すると、当該書込みデータと、当該表示画像データと、を合成して画像合成データを生成する。合成部２３は、当該画像合成データを記憶制御部２１に送信する。記憶制御部２１は、当該画像合成データを合成部２３から受信すると、第２特定情報により当該画像合成データを記憶する記憶場所を特定し、当該画像合成データを記憶部２２に記憶する。
【００４６】
なお画像表示部９２が、書込みデータと共に表示画像データも送信してもよい。この場合は、記憶制御部２１が第１特定情報を参照する処理を省略することができる。
【００４７】
本変形例によれば、書込みデータと、表示画像データと、をサーバ装置２０で合成することができる。
【００４８】
図１１は、第１〜３の実施の形態のサーバ装置２０のハードウェア構成の一例を示す図である。第１〜３の実施の形態のサーバ装置２０は、制御装置８１、主記憶装置８２、補助記憶装置８３、表示装置８４、入力装置８５及び通信装置８６を備える。制御装置８１、主記憶装置８２、補助記憶装置８３、表示装置８４、入力装置８５及び通信装置８６は、バス８７を介して互いに接続されている。
【００４９】
制御装置８１は、補助記憶装置８３から主記憶装置８２に読み出されたプログラムを実行する。主記憶装置８２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリである。補助記憶装置８３は、例えば、ハードディスクやメモリカード等である。表示装置８４は、サーバ装置２０の状態等を表示する画面である。表示装置８４は、例えば、液晶ディスプレイ等である。入力装置８５は、サーバ装置２０を操作するためのインタフェースである。入力装置８５は、例えば、キーボードやマウス等である。通信装置８６は、ネットワークに接続するためのインタフェースである。
【００５０】
第１〜３の実施の形態のサーバ装置２０で実行されるプログラムを、インストール可能な形式又は実行可能な形式のファイルでＣＤ−ＲＯＭ、メモリカード、ＣＤ−Ｒ及びＤＶＤ（Ｄｉｇｉｔａｌ  Ｖｅｒｓａｔｉｌｅ  Ｄｉｓｋ）等のコンピュータで読み取り可能な記録媒体に記録し、コンピュータ・プログラム・プロダクトとして提供してもよい。また、第１〜３の実施の形態のサーバ装置２０で実行されるプログラムを、インターネット等のネットワークに接続されたコンピュータ上に格納し、ネットワーク経由でダウンロードさせることにより提供してもよい。また、第１〜３の実施の形態のサーバ装置２０で実行されるプログラムをダウンロードさせずに、インターネット等のネットワーク経由で提供、又は配布してもよい。また、第１〜３の実施の形態のサーバ装置２０のプログラムを、ＲＯＭ等に予め組み込んで提供してもよい。
【００５１】
第１〜３の実施の形態のサーバ装置２０で実行されるプログラムは、上述したサーバ装置２０の各機能ブロックのうち、プログラムとしても実現可能な機能ブロック（記憶制御部２１及び合成部２３）を含むモジュール構成となっている。当該モジュールは、実際のハードウェアとしては、制御装置８１が上記記憶媒体からプログラムを読み出して実行することにより、上記各モジュールが主記憶装置８２上にロードされる。すなわち、上記各モジュールは、主記憶装置８２上に生成される。なお、サーバ装置２０の各機能ブロックの一部、又は全部を、プログラムにより実現せずに、ＩＣ（Ｉｎｔｅｇｒａｔｅｄ  Ｃｉｒｃｕｉｔ）等のハードウェアにより実現してもよい。
【００５２】
以上のように、第１〜３の実施の形態の画像処理システムによれば、画像データと、出力された画像データに追加された情報とを、より容易に管理することができる。
【符号の説明】
【００５３】
１０  クライアント装置
１１  コード読取り部
１２  読取り要求部
１３  投影制御部
１４  取得部
１５  投影要求部
１６  画像送信部
１７  読取り実行監視部
１８  表示要求部
１９  記憶要求部
２０  サーバ装置
２１  記憶制御部
２２  記憶部
２３  合成部
３０  スキャナ
３１  コード表示部
３２  読取り部
３３  画像送信部
３４  読取り制御部
３５  読取り要求部
３６  記憶部
４０  ホワイトボード
５０  プロジェクタ
６０  ネットワーク
７０  ＵＳＢケーブル
８１  制御装置
８２  主記憶装置
８３  補助記憶装置
８４  表示装置
８５  入力装置
８６  通信装置
８７  バス
９０  インタラクティブホワイトボード（ＩＷＢ）
９１  コード表示部
９２  画像表示部
９３  受付部
９４  合成部
１００  画像処理システム
【先行技術文献】
【特許文献】
【００５４】
【特許文献１】特開２００５−０５１４４６号公報
【図１】
2014199432.tif 000003
【図２】
2014199432.tif 000004
【図３】
2014199432.tif 000005
【図４】
2014199432.tif 000006
【図５】
2014199432.tif 000007
【図６】
2014199432.tif 000008
【図７】
2014199432.tif 000009
【図８】
2014199432.tif 000010
【図９】
2014199432.tif 000011
【図１０】
2014199432.tif 000012
【図１１】
2014199432.tif 000013